(57)【要約】【課題】  携帯電話の機能を使って、製品内部の設定内容を変更し得るようにする。【解決手段】  携帯電話Ｋで家電製品メーカーのサイトＳに入り、家電製品（例えば、電気炊飯器Ａ）の品番等で検索し、その家電製品Ａ内の変更できるデータや情報を携帯電話Ｋに一旦ダウンロードするとともに、その状態の携帯電話Ｋの通信機能を用いて、前記家電製品Ａに向けてデータを送信し、送信されたデータを受信する受信手段３０と、該受信手段３０で受け取ったデータをもとに変更可能な内部データを変更するデータ変更手段とを備えて構成し、身近な通信機器である携帯電話Ｋの通信機能を利用して、家電製品Ａのデータを変えたり、追加したりすることで、家電製品Ａ自身を使いやすくさせることができるようにしている。【選択図】        図１
2009005921.tif 000002
【特許請求の範囲】
【請求項１】
携帯電話で家電製品メーカーのサイトに入り、家電製品の品番等で検索し、その家電製品内の変更できるデータや情報を携帯電話に一旦ダウンロードするとともに、その状態の携帯電話の通信機能を用いて、前記家電製品に向けてデータを送信し、送信されたデータを受信する受信手段と、該受信手段で受け取ったデータをもとに変更可能な内部データを変更するデータ変更手段とを備えて構成したことを特徴とする家電製品。
【請求項２】
前記家電製品側には、前記携帯電話からの情報を受信できる状態かどうかを判断する判断手段と、該判断手段により受信しないと判断された場合には、前記携帯電話にその旨のメッセージを送信するメッセージ送信手段とを具備せしめたことを特徴とする請求項１記載の家電製品。
【請求項３】
前記家電製品側には、前記携帯電話からの情報に基づいてデータ変更した履歴を残す記憶手段と、該記憶手段により残された変更履歴を表示部に表示する表示手段とを具備せしめたことを特徴とする請求項１および２のいずれか一項記載の家電製品。
【請求項４】
前記家電製品側には、前記変更履歴データを前記携帯電話側送信するデータ送信機能を具備せしめるとともに、前記携帯電話側には、前記家電製品の変更履歴を画面上に表示する表示手段を具備させたことを特徴とする請求項１および２のいずれか一項記載の家電製品。
【請求項５】
前記携帯電話のバーコード読み取り機能により食品等に付設されているバーコードからバーコード情報を読み取り、携帯電話によって送信されるバーコード情報に基づいて家電製品側の内部データを設定したり、変更したりできるように構成したことを特徴とする請求項１、２、３および４のいずれか一項記載の家電製品。
【発明の詳細な説明】
【技術分野】
【０００１】
本願発明は、家電製品に関し、さらに詳しくは、携帯電話の通信機能を利用して内部データの設定あるいは変更を行い得るようにした家電製品に関するものである。
【背景技術】
【０００２】
内部データの設定あるいは変更を行い得るようにした家電製品は、従来からよく知られている（例えば、特許文献１および２参照）。
【０００３】
【特許文献１】特開２００２−８９８４５号公報。
【０００４】
【特許文献２】特開２００６−２５５１６１号公報。
【発明の開示】
【発明が解決しようとする課題】
【０００５】
ところが、上記特許文献１，２の場合、携帯電話でサイトに接続して必要な情報をダウンロードし、その情報を携帯電話の通信機能を利用してさらに製品へ送り込むことにより、製品の内部データを書き換えたり、データの追加を行うことができないこととなっている。
【０００６】
本願発明は、上記の点に鑑みてなされたもので、携帯電話の機能を使って、製品内部の設定内容を変更し得るようにすることを目的とするものである。
【課題を解決するための手段】
【０００７】
本願発明では、上記課題を解決するための第１の手段として、携帯電話で家電製品メーカーのサイトに入り、家電製品の品番等で検索し、その家電製品内の変更できるデータや情報を携帯電話に一旦ダウンロードするとともに、その状態の携帯電話の通信機能を用いて、前記家電製品に向けてデータを送信し、送信されたデータを受信する受信手段と、該受信手段で受け取ったデータをもとに変更可能な内部データを変更するデータ変更手段とを備えて構成している。
【０００８】
上記のように構成したことにより、携帯電話でサイトに接続して必要な情報をダウンロードし、その情報を携帯電話の通信機能を利用してさらに製品へ送り込むことにより、製品の内部データを書き換えたり、データの追加を行うことができることとなり、身近な通信機器である携帯電話の通信機能を利用して、家電製品のデータを変えたり、追加したりすることで、家電製品自身を使いやすくさせることができる。
【０００９】
本願発明では、さらに、上記課題を解決するための第２の手段として、上記第１の手段を備えた家電製品において、前記家電製品側に、前記携帯電話からの情報を受信できる状態かどうかを判断する判断手段と、該判断手段により受信しないと判断された場合には、前記携帯電話にその旨のメッセージを送信するメッセージ送信手段とを具備せしめることもでき、そのように構成した場合、携帯電話からの情報を受信できる状態かどうかを判断し、受信しないと判断された場合には、携帯電話にその旨のメッセージを送信することができることとなり、家電製品が携帯電話からの情報を受信できない状態であることをユーザが携帯電話から読み取ることができることとなり、家電製品の状態確認が容易となる。
【００１０】
本願発明では、さらに、上記課題を解決するための第３の手段として、上記第１又は第２の手段を備えた家電製品において、前記家電製品側に、前記携帯電話からの情報に基づいてデータ変更した履歴を残す記憶手段と、該記憶手段により残された変更履歴を表示部に表示する表示手段とを具備せしめることもでき、そのように構成した場合、データ変更履歴を表示手段に表示することでユーザが容易に認識することができる。
【００１１】
本願発明では、さらに、上記課題を解決するための第４の手段として、上記第１又は第２の手段を備えた家電製品において、前記家電製品側に、前記変更履歴データを前記携帯電話側送信するデータ送信機能を具備せしめるとともに、前記携帯電話側に、前記家電製品の変更履歴を画面上に表示する表示手段を具備させることもでき、そのように構成した場合、変更履歴データを携帯電話の画面上で容易に確認することができる。
【００１２】
本願発明では、さらに、上記課題を解決するための第５の手段として、上記第１、第２、第３又は第４の手段を備えた家電製品において、前記携帯電話のバーコード読み取り機能により食品等に付設されているバーコードからバーコード情報を読み取り、携帯電話によって送信されるバーコード情報に基づいて家電製品側の内部データを設定したり、変更したりできるように構成することもでき、そのように構成した場合、携帯電話のバーコード読み取り機能によりバーコード情報を読み取り、該バーコード情報に基づいて家電製品側の内部データを設定したり、変更したりできることとなり、家電製品が使い易くなる。
【発明の効果】
【００１３】
本願発明の第１の手段によれば、携帯電話で家電製品メーカーのサイトに入り、家電製品の品番等で検索し、その家電製品内の変更できるデータや情報を携帯電話に一旦ダウンロードするとともに、その状態の携帯電話の通信機能を用いて、前記家電製品に向けてデータを送信し、送信されたデータを受信する受信手段と、該受信手段で受け取ったデータをもとに変更可能な内部データを変更するデータ変更手段とを備えて構成して、携帯電話でサイトに接続して必要な情報をダウンロードし、その情報を携帯電話の通信機能を利用してさらに製品へ送り込むことにより、製品の内部データを書き換えたり、データの追加を行うことができるようにしたので、身近な通信機器である携帯電話の通信機能を利用して、家電製品のデータを変えたり、追加したりすることで、家電製品自身を使いやすくさせることができるという効果がある。
【００１４】
本願発明の第２の手段におけるように、上記第１の手段を備えた家電製品において、前記家電製品側に、前記携帯電話からの情報を受信できる状態かどうかを判断する判断手段と、該判断手段により受信しないと判断された場合には、前記携帯電話にその旨のメッセージを送信するメッセージ送信手段とを具備せしめることもでき、そのように構成した場合、携帯電話からの情報を受信できる状態かどうかを判断し、受信しないと判断された場合には、携帯電話にその旨のメッセージを送信することができることとなり、家電製品が携帯電話からの情報を受信できない状態であることをユーザが携帯電話から読み取ることができることとなり、家電製品の状態確認が容易となる。
【００１５】
本願発明の第３の手段におけるように、上記第１又は第２の手段を備えた家電製品において、前記家電製品側に、前記携帯電話からの情報に基づいてデータ変更した履歴を残す記憶手段と、該記憶手段により残された変更履歴を表示部に表示する表示手段とを具備せしめることもでき、そのように構成した場合、データ変更履歴を表示手段に表示することでユーザが容易に認識することができる。
【００１６】
本願発明の第４の手段におけるように、上記第１又は第２の手段を備えた家電製品において、前記家電製品側に、前記変更履歴データを前記携帯電話側送信するデータ送信機能を具備せしめるとともに、前記携帯電話側に、前記家電製品の変更履歴を画面上に表示する表示手段を具備させることもでき、そのように構成した場合、変更履歴データを携帯電話の画面上で容易に確認することができる。
【００１７】
本願発明の第５の手段におけるように、上記第１、第２、第３又は第４の手段を備えた家電製品において、前記携帯電話のバーコード読み取り機能により食品等に付設されているバーコードからバーコード情報を読み取り、携帯電話によって送信されるバーコード情報に基づいて家電製品側の内部データを設定したり、変更したりできるように構成することもでき、そのように構成した場合、携帯電話のバーコード読み取り機能によりバーコード情報を読み取り、該バーコード情報に基づいて家電製品側の内部データを設定したり、変更したりできることとなり、家電製品が使い易くなる。
【発明を実施するための最良の形態】
【００１８】
以下、添付の図面を参照して、本願発明を幾つかの好適な実施の形態について説明する。
【００１９】
第１の実施の形態
図１には、本願発明の第１の実施の形態にかかる家電製品が示されている。
【００２０】
この場合、家電製品としては電気炊飯器Ａが示されており、携帯電話Ｋで家電製品メーカーのサイトＳに入り、電気炊飯器Ａの品番等で検索し、電気炊飯器Ａ内の変更できるデータや情報を携帯電話Ｋに一旦ダウンロードするとともに、その状態の携帯電話Ｋの通信機能を用いて、前記電気炊飯器Ａに向けてデータを送信し、電気炊飯器Ａ側には、送信されたデータを受信する受信手段３０（図３参照）と、該受信手段３０で受け取ったデータをもとに変更可能な内部データを変更するデータ変更手段と、前記携帯電話Ｋからの情報を受信できる状態かどうかを判断する判断手段と、該判断手段により受信しないと判断された場合には、前記携帯電話Ｋにその旨のメッセージを送信するメッセージ送信手段３１（図３参照）と、前記携帯電話Ｋからの情報に基づいてデータ変更した履歴を残す記憶手段と、該記憶手段により残された変更履歴を表示部に表示する表示手段と、前記変更履歴データを前記携帯電話Ｋ側へ送信するデータ送信機能（即ち、送信手段３０）とが具備せしめられる一方、前記携帯電話Ｋ側には、前記電気炊飯器Ａの変更履歴を画面上に表示する表示手段５が具備せしめられている。
【００２１】
上記電気炊飯器Ａには、図２に示すように、炊飯、保温機能に対するタイマー予約や炊飯および保温メニューの選択、それら各メニューに対応した加熱量、加熱パターン、保温温度、保温時間、保温ＯＦＦ制御モードなどの操作設定を行う各種入力キー群３ａ〜３ｉを備えた操作パネル部２が具備されている。前記操作パネル部２のキー３ａ〜３ｉは、例えば炊飯スイッチ３ａ（ＯＮ表示部４ａ）、タイマー予約スイッチ３ｂ（ＯＮ表示部４ｃ）、取消スイッチ３ｃ、保温スイッチ３ｄ（ＯＮ表示部４ｂ）、再加熱スイッチ３ｅ、メニュー選択スイッチ３ｆ、時スイッチ３ｇ、分スイッチ３ｈ、保温ＯＦＦ制御モード選択スイッチ３ｉ（ＯＮ表示部４ｄ）よりなっている。また、前記操作パネル部２の中央部には、炊飯、保温の各メニュー、設定された保温温度、設定保温時間並びに現在時刻および炊飯完了までの残時間その他の必要事項を表示する表示手段として作用する液晶表示部５が設けられている。
【００２２】
また、図３は、本実施の形態にかかる電気炊飯器Ａにおける電気的要素の結線状態を示すものである。なお、既に説明した電気的要素については同一の符号を付して説明を省略する。
【００２３】
図３において、符号Ｃはワークコイル回路、Ｈ1は側面ヒータ、Ｈ2は蓋ヒータ、６は側面ヒータ駆動回路、７は蓋ヒータ駆動回路、８は電源電圧整流用のダイオードブリッジよりなる整流回路、９は平滑回路（平滑コンデンサ）、１０はマイコン制御ユニット、１１はファン、１２はファンモータ駆動回路、１３は内鍋温度検知回路、１４はワークコイルＣ（ワークコイル回路）を駆動するＩＧＢＴ駆動回路、１５は内鍋のセット状態を検知する内鍋検知回路、１６はメインクロック信号発振回路、１７はリセット回路、１８はブザー駆動回路、１９は整流平滑回路、２０は入力電圧検出回路、２１は省エネ回路、２２はＥＥＰＲＯＭ、２３は入力電流検出回路、２４はゼロクロス信号検出回路、２５は同期トリガー回路、２６はＤＣ電源回路、２７はマイコン電源回路、２８はノイズフィルタ回路８８、２９は電源コンセント、３０は携帯電話Ｋから送信されたデータを受信する受信手段、３１は携帯電話Ｋにメッセージを送信する送信手段である。そして、前記マイコン制御ユニット１０には、前記受信手段３０で受け取ったデータをもとに変更可能な内部データを変更するデータ変更手段と、前記携帯電話Ｋからの情報を受信できる状態かどうかを判断する判断手段と、前記携帯電話Ｋからの情報に基づいてデータ変更した履歴を残す記憶手段と、該記憶手段により残された変更履歴を表示部に表示する表示手段としての機能が具備せしめられている。
【００２４】
上記のように構成された電気炊飯器Ａにおいては、携帯電話ＫでメーカのサイトＳに接続して必要な情報をダウンロードし、その情報を携帯電話Ｋの通信機能を利用してさらに製品（即ち、電気炊飯器Ａ）へ送り込むことにより、製品の内部データを書き換えたり、データの追加を行うことができることとなり、身近な通信機器である携帯電話Ｋの通信機能を利用して、電気炊飯器Ａのデータを変えたり、追加したりすることで、電気炊飯器Ａ自身を使いやすくさせることができる。しかも、前記電気炊飯器Ａ側に、前記携帯電話Ｋからの情報を受信できる状態かどうかを判断する判断手段と、該判断手段により受信しないと判断された場合には、前記携帯電話Ｋにその旨のメッセージを送信するメッセージ送信手段３１とを具備せしめるようにしているので、電気炊飯器Ａが携帯電話Ｋからの情報を受信できない状態であることをユーザが携帯電話Ｋから読み取ることができることとなり、電気炊飯器Ａの状態確認が容易となる。また、前記電気炊飯器Ａに、前記携帯電話Ｋからの情報に基づいてデータ変更した履歴を残す記憶手段と、該記憶手段により残された変更履歴を表示部に表示する表示手段とを具備せしめるようにしているので、データ変更履歴を表示手段に表示することでユーザが容易に認識することができる。さらに、前記電気炊飯器Ａ側に、前記変更履歴データを前記携帯電話Ｋ側へ送信するデータ送信機能を具備せしめるとともに、前記携帯電話Ｋ側に、前記電気炊飯器Ａの変更履歴を画面上に表示する表示手段を具備させるようにしているので、変更履歴データを携帯電話の画面上で容易に確認することができる。
【００２５】
例えば、携帯電話Ｋでメーカのサイト（例えば、ホームページ）Ｓにアクセスして必要なソフトをダウンロードすると、当該電気炊飯器Ａに搭載を予定している「炊き込みの具と調味料により炊き分けコース」で消費者が使用する具と調味料がどのコースを使って炊くかが分からない場合、具と調味料を入力することにより、どのコースを使うといいかが検索でき、そのまま電気炊飯器Ａに向かって、携帯電話Ｋから送信すると、携帯電話Ｋがリモコンとして作用することとなり、炊飯スタートが可能となる。また、付加機能により、具だけを入力することにより、どの料理ができるかなどレシピ検索も可能となる。このようにすると、炊き分けコース搭載により、ますます複雑になるボタン操作が具と調味料を入力するだけで、簡単に炊飯スタートできることとなる。また、レシピ検索により冷蔵庫に残る素材でできる炊き込み検索ができることにより、より便利になる。
【００２６】
第２の実施の形態
図４には、本願発明の第２の実施の形態にかかる家電製品である電気炊飯器Ａが示されている。
【００２７】
この場合、携帯電話Ｋのバーコード読み取り機能により食品等（例えば、米袋Ｍ）に付設されているバーコードＶからバーコード情報を読み取り、携帯電話Ｋによって送信されるバーコード情報に基づいて家電製品である電気炊飯器Ａ側の内部データを設定したり、変更したりできるように構成されている。このようにすると、携帯電話Ｋのバーコード読み取り機能によりバーコード情報を読み取り、該バーコード情報に基づいて電気炊飯器Ａ側の内部データを設定したり、変更したりできることとなり、電気炊飯器Ａが使い易くなる。例えば、米袋Ｍの生産者情報（即ち、生産者、生産地、収穫時期等）を携帯電話Ｋのバーコード読み取り機能によって読み取り、該情報を電気炊飯器Ａに送信すると、電気炊飯器Ａは、当該情報に基づいた最適なプログラムで炊飯を行うこととなる。このようにすると、お米の情報に基づいた炊飯を行うことで、最適な炊飯が可能となるのである。
【００２８】
その他の構成および作用効果は、第１の実施の形態におけると同様なので、説明を省略する。
【００２９】
第３の実施の形態
図５には、本願発明の第３の実施の形態にかかる家電製品である電気貯湯容器Ｂが示されている。
【００３０】
この場合、携帯電話Ｋのバーコード読み取り機能により食品等（例えば、カップ麺、粉末スープ等のパッケージＭ）に付設されているバーコードＶからバーコード情報（例えば、調理に必要な湯量データ）を読み取り、携帯電話Ｋによって送信されるバーコード情報に基づいて家電製品である電気貯湯容器Ｂ側の内部データを設定したり、変更したりできるように構成されている。このようにすると、携帯電話Ｋのバーコード読み取り機能によりバーコード情報を読み取り、該バーコード情報に基づいて電気貯湯容器Ｂ側の内部データを設定したり、変更したりできることとなり、電気貯湯容器Ｂが使い易くなる。例えば、カップ麺、粉末スープ、カップコーヒ等のパッケージＭの情報（即ち、調理に必要な湯量データ、最適温度等）を携帯電話Ｋのバーコード読み取り機能によって読み取り、該情報を電気貯湯容器Ｂに送信すると、電気貯湯容器Ｂは、当該情報に基づいた最適なプログラムで保温を行うこととなる。このようにすると、カップ麺、粉末スープ等の最適な味をリモコン操作により再現できることとなる。
【００３１】
この電気貯湯容器Ｂには、図６に示すように、各種入力キー群３３ａ〜３３ｅを備えた操作パネル部３２が具備されている。前記操作パネル部２のキー３３ａ〜３３ｅは、例えば給湯スイッチ３３ａ、解除スイッチ３３ｂ、保温温度を選択する保温スイッチ３３ｃ、定量給湯時の湯量設定等を行う選択スイッチ３３ｄ、沸騰スイッチ３３ｅよりなっており、この操作パネル部３２の中央部には、液晶表示装置３４、再沸騰表示灯３５、保温表示灯３６が設けられている。前記液晶表示装置３４には、温度、沸騰残時間および湯量が交互に７セグメント表示され且つ後述するスローリーク発生表示が文字表示されるとともに、設定保温温度（９８℃、９０℃、まほうびん）を表示する三角形形状の表示灯３７〜４０が設けられている。
【００３２】
図７は、本実施の形態にかかる電気貯湯容器Ｂにおける電気的要素の結線状態を示すブロック図である。なお、既に説明した電気的要素については同一の符号を付して説明を省略する。
【００３３】
マイクロコンピュータユニット（以下、マイコンと略称する）４１においては、各種スイッチ類３３ａ〜３３ｅ、発振回路４２、リセット回路４３および温度センサー４４からの信号が入力され、各種演算処理が行われ、制御信号が再沸騰表示灯３５、保温表示灯３６、液晶表示装置３４、ブザー４５、トライアック駆動回路４６、リレー駆動回路４７、ＩＲＧ回路４８、安定化電源回路４９、ポンプ駆動回路５０およびトライアック５１に出力されることとなっている。符号５２は給湯ポンプ、５３はタブ付きリレー、５４は商用交流電源、５５は温度ヒューズ、５６Ａは沸騰用ヒータ、５６Ｂは保温用ヒータ、５７は携帯電話Ｋから送信されたデータを受信する受信手段、５８は携帯電話Ｋにメッセージを送信する送信手段である。前記沸騰用ヒータ５６Ａはタブ付きリレー５３により通電制御され、保温用ヒータ５６Ｂはトライアック５１により通電制御されることとなっている。そして、前記マイコン４１には、前記受信手段５７で受け取ったデータをもとに変更可能な内部データを変更するデータ変更手段と、前記携帯電話Ｋからの情報を受信できる状態かどうかを判断する判断手段と、前記携帯電話Ｋからの情報に基づいてデータ変更した履歴を残す記憶手段と、該記憶手段により残された変更履歴を表示部に表示する表示手段としての機能が具備せしめられている。
【００３４】
上記のように構成された電気貯湯容器Ｂにおいては、携帯電話Ｋでメーカのサイトに接続して必要な情報をダウンロードし、その情報を携帯電話Ｋの通信機能を利用してさらに製品（即ち、電気貯湯容器Ｂ）へ送り込むことにより、製品の内部データを書き換えたり、データの追加を行うことができることとなり、身近な通信機器である携帯電話Ｋの通信機能を利用して、電気貯湯容器Ｂのデータを変えたり、追加したりすることで、電気貯湯容器Ｂ自身を使いやすくさせることができる。しかも、前記電気貯湯容器Ｂ側に、前記携帯電話Ｋからの情報を受信できる状態かどうかを判断する判断手段と、該判断手段により受信しないと判断された場合には、前記携帯電話Ｋにその旨のメッセージを送信するメッセージ送信手段５８とを具備せしめるようにしているので、電気貯湯容器Ｂが携帯電話Ｋからの情報を受信できない状態であることをユーザが携帯電話Ｋから読み取ることができることとなり、電気貯湯容器Ｂの状態確認が容易となる。また、前記電気貯湯容器Ｂに、前記携帯電話Ｋからの情報に基づいてデータ変更した履歴を残す記憶手段と、該記憶手段により残された変更履歴を表示部に表示する表示手段とを具備せしめるようにしているので、データ変更履歴を表示手段に表示することでユーザが容易に認識することができる。さらに、前記電気貯湯容器Ｂ側に、前記変更履歴データを前記携帯電話Ｋ側へ送信するデータ送信機能を具備せしめるとともに、前記携帯電話Ｋ側に、前記電気貯湯容器Ｂの変更履歴を画面上に表示する表示手段を具備させるようにしているので、変更履歴データを携帯電話の画面上で容易に確認することができる。
【００３５】
第４の実施の形態
図８には、本願発明の第４の実施の形態にかかる家電製品である加湿器Ｃが示されている。
【００３６】
この場合、携帯電話Ｋで家電製品メーカーのサイトＳに入り、加湿器Ｃの品番等で検索し、加湿器Ｃ内の変更できるデータや情報を携帯電話Ｋに一旦ダウンロードするとともに、その状態の携帯電話Ｋの通信機能を用いて、前記加湿器Ｃに向けてデータを送信し、加湿器Ｃ側には、送信されたデータを受信する受信手段８３（図１０参照）と、該受信手段８３で受け取ったデータをもとに変更可能な内部データを変更するデータ変更手段と、前記携帯電話Ｋからの情報を受信できる状態かどうかを判断する判断手段と、該判断手段により受信しないと判断された場合には、前記携帯電話Ｋにその旨のメッセージを送信するメッセージ送信手段８４（図１０参照）と、前記携帯電話Ｋからの情報に基づいてデータ変更した履歴を残す記憶手段と、該記憶手段により残された変更履歴を表示部に表示する表示手段と、前記変更履歴データを前記携帯電話Ｋ側へ送信するデータ送信機能（即ち、送信手段８４）とが具備せしめられる一方、前記携帯電話Ｋ側には、前記加湿器Ｃの変更履歴を画面上に表示する表示手段が具備せしめられている。
【００３７】
上記加湿器Ｃには、図９に示すように、各種入力キー群を備えた操作パネル部５９が具備されている。
【００３８】
この操作パネル部５９には、入／切キー６０、運転切換キー６１、省エネ／快音快速運転切換キー６２、オフタイマキー６３、給水表示灯６４、強運転表示灯６５、自動運転表示灯６６、静音運転表示灯６７、しっとり運転表示灯６８、省エネ運転表示灯６９、快音快速運転表示灯７０、２時間タイマ表示灯７１および４時間タイマ表示灯７２が設けられている。
【００３９】
図１０は、本実施の形態にかかる加湿器Ｃにおける電気的要素の結線状態を示すブロック図である。なお、既に説明した電気的要素については同一の符号を付して説明を省略する。
【００４０】
図１０において、符号７３は制御部として機能するマイコン、７４は湿度センサ、７５は吹出方向設定手段によって往復揺動されるルーバが基準位置にあるか否かを検出する位置センサ、７６はドレンタンクの水位を検出するフロートセンサ、７７はメインファン用のモータ、７８は除湿ロータ用のモータ、７９は再生ファン用のモータ、８０は再生ヒータ、８１は吹出方向回転モータとして機能するルーバモータ、８２はイオン発生器、８３は携帯電話Ｋから送信されたデータを受信する受信手段、８４は携帯電話Ｋにメッセージを送信する送信手段である。そして、前記マイコン７３には、前記受信手段８３で受け取ったデータをもとに変更可能な内部データを変更するデータ変更手段と、前記携帯電話Ｋからの情報を受信できる状態かどうかを判断する判断手段と、前記携帯電話Ｋからの情報に基づいてデータ変更した履歴を残す記憶手段と、該記憶手段により残された変更履歴を表示部に表示する表示手段としての機能が具備せしめられている。
【００４１】
上記のように構成された加湿器Ｃにおいては、携帯電話ＫでメーカのサイトＳに接続して必要な情報をダウンロードし、その情報を携帯電話Ｋの通信機能を利用してさらに製品（即ち、加湿器Ｃ）へ送り込むことにより、製品の内部データを書き換えたり、データの追加を行うことができることとなり、身近な通信機器である携帯電話Ｋの通信機能を利用して、加湿器Ｃのデータを変えたり、追加したりすることで、加湿器Ｃ自身を使いやすくさせることができる。しかも、前記加湿器Ｃ側に、前記携帯電話Ｋからの情報を受信できる状態かどうかを判断する判断手段と、該判断手段により受信しないと判断された場合には、前記携帯電話Ｋにその旨のメッセージを送信するメッセージ送信手段８４とを具備せしめるようにしているので、加湿器Ｃが携帯電話Ｋからの情報を受信できない状態であることをユーザが携帯電話Ｋから読み取ることができることとなり、加湿器Ｃの状態確認が容易となる。また、前記加湿器Ｃに、前記携帯電話Ｋからの情報に基づいてデータ変更した履歴を残す記憶手段と、該記憶手段により残された変更履歴を表示部に表示する表示手段とを具備せしめるようにしているので、データ変更履歴を表示手段に表示することでユーザが容易に認識することができる。さらに、前記加湿器Ｃ側に、前記変更履歴データを前記携帯電話Ｋ側へ送信するデータ送信機能を具備せしめるとともに、前記携帯電話Ｋ側に、前記加湿器Ｃの変更履歴を画面上に表示する表示手段を具備させるようにしているので、変更履歴データを携帯電話の画面上で容易に確認することができる。なお、携帯電話Ｋにあるカレンダーや天気情報を加湿器Ｃ側の受信手段８３で受信し、季節や気候に合わせた加湿モード（例えば、夏季にはヒータ「弱」とか冬季にはヒータ「強」とかのモード）を自動選択することもできる。
【００４２】
第５の実施の形態
図１１には、本願発明の第５の実施の形態にかかる家電製品である除湿器Ｄが示されている。
【００４３】
この場合、携帯電話Ｋで家電製品メーカーのサイトＳに入り、除湿器Ｄの品番等で検索し、除湿器Ｄ内の変更できるデータや情報を携帯電話Ｋに一旦ダウンロードするとともに、その状態の携帯電話Ｋの通信機能を用いて、前記除湿器Ｄに向けてデータを送信し、除湿器Ｄ側には、送信されたデータを受信する受信手段（図１３参照）と、該受信手段で受け取ったデータをもとに変更可能な内部データを変更するデータ変更手段と、前記携帯電話Ｋからの情報を受信できる状態かどうかを判断する判断手段と、該判断手段により受信しないと判断された場合には、前記携帯電話Ｋにその旨のメッセージを送信するメッセージ送信手段（図１３参照）と、前記携帯電話Ｋからの情報に基づいてデータ変更した履歴を残す記憶手段と、該記憶手段により残された変更履歴を表示部に表示する表示手段と、前記変更履歴データを前記携帯電話Ｋ側へ送信するデータ送信機能（即ち、送信手段）とが具備せしめられる一方、前記携帯電話Ｋ側には、前記除湿器Ｄの変更履歴を画面上に表示する表示手段が具備せしめられている。
【００４４】
上記除湿器Ｄには、図１２に示すように、各種入力キー群を備えた操作パネル部８５が具備されている。
【００４５】
この操作パネル部８５には、入／切キー８６、オフタイマキー８７、運転切換キー８８、回転スイッチ８９、回転角度設定キー９０、衣類乾燥／部屋カビガードキー９１、１時間タイマ表示灯９２、３時間タイマ表示灯９３、６時間タイマ表示灯９４、静音運転表示灯９５、中音運転表示灯９６、自動運転表示灯９７、３６０°回転表示灯９８、スポット表示灯９９、回転状態表示灯１００、回転角度設定表示灯１０１、衣類乾燥選択表示灯１０２、部屋カビガード選択表示灯１０３、湿度４０％表示灯１０４、湿度６０％表示灯１０５、湿度８０％表示灯１０６、イオン表示灯１０７および満水／タンクなし表示灯１０８が設けられている。
【００４６】
図１３は、本実施の形態にかかる除湿器Ｄにおける電気的要素の結線状態を示すブロック図である。なお、既に説明した電気的要素については同一の符号を付して説明を省略する。
【００４７】
図１３において、符号１０９は制御部として機能するマイコン、１１０は水タンク用のフロートスイッチ、１１１は湿度センサ、１１２は温度センサ、１１３は送風機用のファンモータ、１１４は加湿エレメントの駆動源であるフィルタモータ、１１５は室内空気を加熱するためのヒータ、１１６は電源基板、１１７は携帯電話Ｋから送信されたデータを受信する受信手段、１１８は携帯電話Ｋにメッセージを送信する送信手段である。そして、前記マイコン１０９には、前記受信手段１１７で受け取ったデータをもとに変更可能な内部データを変更するデータ変更手段と、前記携帯電話Ｋからの情報を受信できる状態かどうかを判断する判断手段と、前記携帯電話Ｋからの情報に基づいてデータ変更した履歴を残す記憶手段と、該記憶手段により残された変更履歴を表示部に表示する表示手段としての機能が具備せしめられている。
【００４８】
上記のように構成された除湿器Ｄにおいては、携帯電話ＫでメーカのサイトＳに接続して必要な情報をダウンロードし、その情報を携帯電話Ｋの通信機能を利用してさらに製品（即ち、除湿器Ｄ）へ送り込むことにより、製品の内部データを書き換えたり、データの追加を行うことができることとなり、身近な通信機器である携帯電話Ｋの通信機能を利用して、除湿器Ｄのデータを変えたり、追加したりすることで、除湿器Ｄ自身を使いやすくさせることができる。しかも、前記除湿器Ｄ側に、前記携帯電話Ｋからの情報を受信できる状態かどうかを判断する判断手段と、該判断手段により受信しないと判断された場合には、前記携帯電話Ｋにその旨のメッセージを送信するメッセージ送信手段１１８とを具備せしめるようにしているので、除湿器Ｄが携帯電話Ｋからの情報を受信できない状態であることをユーザが携帯電話Ｋから読み取ることができることとなり、除湿器Ｄの状態確認が容易となる。また、前記除湿器Ｄに、前記携帯電話Ｋからの情報に基づいてデータ変更した履歴を残す記憶手段と、該記憶手段により残された変更履歴を表示部に表示する表示手段とを具備せしめるようにしているので、データ変更履歴を表示手段に表示することでユーザが容易に認識することができる。さらに、前記除湿器Ｄ側に、前記変更履歴データを前記携帯電話Ｋ側へ送信するデータ送信機能を具備せしめるとともに、前記携帯電話Ｋ側に、前記除湿器Ｄの変更履歴を画面上に表示する表示手段を具備させるようにしているので、変更履歴データを携帯電話の画面上で容易に確認することができる。なお、携帯電話Ｋにあるカレンダーや天気情報を除湿器Ｄ側の受信手段１１７で受信し、季節や気候に合わせた加湿モード（例えば、夏季にはヒータ「弱」とか冬季にはヒータ「強」とかのモード）を自動選択することもできる。
【００４９】
ところで、家電製品（例えば、電気炊飯器Ａ、電気貯湯容器Ｂ、加湿器Ｃあるいは除湿器Ｄ）側で受信するときは、待機状態であるときか電池駆動の状態であって家電製品として運転されていないときに限るのが望ましい。
【００５０】
また、携帯電話で家電製品の情報を登録したユーザには、形態サイトから家電製品に関する情報をメールで知らせることができるようにしてもよい。
【００５１】
また、同じモデルで仕様変更や仕様追加した場合、同じモデルを使っているユーザには新規購入することなく仕様追加や変更を受けることができるようにしてもよい。即ち、家電製品のプログラム的なバァージョンアップをし易くすることもできる。
【００５２】
また、例えば、炊飯終了報知やエラー報知など、従来ではブザー音や音声案内で行っていたが、携帯電話（電気炊飯器のそばに携帯電話をおく必要がある）にそれぞれの情報を製品側から携帯電話に送信し、携帯電話の着メロ等を使って電気炊飯器側の状態を報知させるようにすることもできる。
【００５３】
本願発明は、上記各実施の形態に限定されるものではなく、発明の要旨を逸脱しない範囲において、適宜設計変更可能なことは勿論である。
【図面の簡単な説明】
【００５４】
【図１】本願発明の第１の実施の形態にかかる家電製品（即ち、電気炊飯器Ａ）の構成を示す斜視図である。
【図２】本願発明の第１の実施の形態にかかる家電製品である電気炊飯器Ａにおける操作パネル部の拡大正面図である。
【図３】本願発明の第１の実施の形態にかかる家電製品である電気炊飯器Ａにおける電気的要素の結線図である。
【図４】本願発明の第２の実施の形態にかかる家電製品（即ち、電気炊飯器Ａ）の構成を示す斜視図である。
【図５】本願発明の第３の実施の形態にかかる家電製品（即ち、電気貯湯容器Ｂ）の構成を示す斜視図である。
【図６】本願発明の第３の実施の形態にかかる家電製品である電気貯湯容器Ｂにおける操作パネル部の拡大正面図である。
【図７】本願発明の第３の実施の形態にかかる家電製品である電気貯湯容器Ｂにおける電気的要素の結線図である。
【図８】本願発明の第４の実施の形態にかかる家電製品（即ち、加湿器Ｃ）の構成を示す斜視図である。
【図９】本願発明の第４の実施の形態にかかる家電製品である加湿器Ｃにおける操作パネル部の拡大正面図である。
【図１０】本願発明の第４の実施の形態にかかる家電製品である加湿器Ｃにおける電気的要素の結線図である。
【図１１】本願発明の第５の実施の形態にかかる家電製品（即ち、除湿器Ｄ）の構成を示す斜視図である。
【図１２】本願発明の第５の実施の形態にかかる家電製品である除湿器Ｄにおける操作パネル部の拡大正面図である。
【図１３】本願発明の第５の実施の形態にかかる家電製品である除湿器Ｄにおける電気的要素の結線図である。
【符号の説明】
【００５５】
３０，５７，８３，１１７は受信手段
３１，５８，８４，１１８は送信手段
Ａは家電製品（電気炊飯器）
Ｂは家電製品（電気貯湯容器）
Ｃは家電製品（加湿器）
Ｄは家電製品（除湿器）
Ｋは携帯電話
Ｍは米袋
Ｓはメーカサイト
Ｖはバーコード
【図１】
2009005921.tif 000003
【図２】
2009005921.tif 000004
【図３】
2009005921.tif 000005
【図４】
2009005921.tif 000006
【図５】
2009005921.tif 000007
【図６】
2009005921.tif 000008
【図７】
2009005921.tif 000009
【図８】
2009005921.tif 000010
【図９】
2009005921.tif 000011
【図１０】
2009005921.tif 000012
【図１１】
2009005921.tif 000013
【図１２】
2009005921.tif 000014
【図１３】
2009005921.tif 000015